(57)【要約】【課題】不具合が生じた場合や改良などにおける電子部材の交換を、より経済的に行うことができる電気光交換モジュールを提供する。【解決手段】電気光変換モジュール１は、光導波路２を伝播する光信号の電気信号への変換や、入力される電気信号を光信号へ変換して光導波路２へ出力する光信号送信・受信部２０１、増幅部２０２及び通信制御部２０３などの複数の分割ユニットを、外部へ露出するカバー部材１１１と接続する嵌合部１２０内の端子部と前記複数の分割ユニットの電極部とが接触した状態で嵌合部１２０に嵌め込んで係止させる。【選択図】図２
2007286553.tif 000002
【特許請求の範囲】
【請求項１】
光電変換素子及びその付帯素子を含む機能部と、前記機能部を収容し当該機能部と外部との電気的接続を行うコネクタと、を備えた電気光変換モジュールにおいて、
前記機能部は当該機能部を構成する個々の機能又は個々の機能の組み合わせの単位で分割され、互いに着脱可能且つ前記コネクタに着脱可能な複数の分割ユニットの集合体で構成されていることを特徴とする電気光変換モジュール。
【請求項２】
前記各分割ユニットは、前記コネクタ内への収納時における収納位置を規制する位置決め手段を介して前記コネクタに収納されていることを特徴とする請求項１に記載の電気光変換モジュール。
【請求項３】
前記位置決め手段は、前記コネクタの収納部に前記分割ユニットの装着方向に対向する向きで突設された突部と、この突部に嵌合可能に隣接する分割ユニットの境界面に設けられた凹部と、の組み合わせで構成されることを特徴とする請求項２に記載の電気光変換モジュール。
【請求項４】
前記突部は柱状の導電性のピンであり、前記凹部には前記導電性のピンに電気的に接触する導電部が設けられていることを特徴とする請求項３に記載の電気光変換モジュール。
【請求項５】
前記突部は導電性のバンプであり、前記凹部には前記導電性のピンに電気的に接続する導電部が設けられていることを特徴とする請求項３に記載の電気光変換モジュール。
【請求項６】
前記位置決め手段は、前記コネクタへの収納時において互いに隣接する分割ユニットの対向面のそれぞれに設けられ互いに嵌合する一対の凹凸部で構成されることを特徴とする請求項２に記載の電気光変換モジュール。
【請求項７】
前記一対の凹凸部には互いに電気的に接触する導電部が設けられていることを特徴とする請求項６に記載の電気光変換モジュール。
【請求項８】
前記コネクタには前記各分割ユニットに電気的に接触して外部に導出された導電性の接続端子が設けられており、この接続端子同士を電気的に接続することにより、前記各分割ユニット相互が電気的に接続されていることを特徴とする請求項１に記載の電気光変換モジュール。
【請求項９】
前記機能部の光電変換素子には光導波路が光学的に接続されていることを特徴とする請求項１〜８のいずれか一項に記載の電気光変換モジュール。
【発明の詳細な説明】
【技術分野】
【０００１】
本発明は、電気光変換モジュールに関する。
【背景技術】
【０００２】
従来から、ＦＴＴＨ（Fiber  To  The  Home）等の光通信では、プレーナ光波回路（PLC:Planar  Lightwave  Circuit）を用いた電気光変換モジュールが知られている。この電気光変換モジュールは、ＶＣＳＥＬ（Vertical-Cavity  Surface-emitting  Laser）、レーザダイオード（LD：LaserDiode）やフォトダイオード（PD：PhotoDiode）、ＬＤ素子等を駆動するためのドライバ又は信号の増幅を行うアンプを内蔵する各種ＬＳＩ（Large Scale Integration）がＰＬＣ基板上に配置されて成るものである。
【０００３】
例えば、上記電気光変換モジュールにおける技術として、非特許文献１には、石英系ＰＬＣ基板上に、レーザダイオードやフォトダイオードなどの半導体光素子を光導波路との間で高精度な位置合わせを行って光学的に結合させる（ハイブリッド集積）技術が開示されている。
【非特許文献１】赤堀裕二、小川育生、橋本俊和、大山貴晴、田中拓也、黒崎武志、東盛裕一著、「ＮＴＴ  Ｒ＆Ｄ」、Ｖｏｌ．５０、Ｎｏ．４、２００１年、ｐ．２９４−３０２
【発明の開示】
【発明が解決しようとする課題】
【０００４】
しかしながら、上述した従来の電気光変換モジュールでは、ＶＣＳＥＬ、ＰＤ、アンプ、ドライバがユーザ仕様の組み合わせで一体に基板上に実装されているため、いずれかの構成要素を交換する場合、その基板ごと交換する必要があるため、経済的ではなかった。例えば、ＰＤだけを新たなものに交換する場合、正常であるアンプやドライバを含む基板ごと交換する必要があった。また、半導体光素子をより高速に駆動させるためのドライバに交換する場合も、正常に駆動しているＶＣＳＥＬやＰＤを含む基板ごとの交換となってしまうため、経済的ではなかった。
【０００５】
本発明は、上記の従来技術における問題に鑑みてなされたものであって、一部の電子部材の交換を、より経済的に行うことができる電気光交換モジュールを提供することである。
【課題を解決するための手段】
【０００６】
請求項１に記載の発明は、光電変換素子及びその付帯素子を含む機能部と、前記機能部を収容し当該機能部と外部との電気的接続を行うコネクタと、を備えた電気光変換モジュールにおいて、前記機能部は当該機能部を構成する個々の機能又は個々の機能の組み合わせの単位で分割され、互いに着脱可能且つ前記コネクタに着脱可能な複数の分割ユニットの集合体で構成されていることを特徴とする。
【０００７】
請求項２に記載の発明は、請求項１に記載の発明において、前記各分割ユニットは、前記コネクタ内への収納時における収納位置を規制する位置決め手段を介して前記コネクタに収納されていることを特徴とする。
【０００８】
請求項３に記載の発明は、請求項２に記載の発明において、前記位置決め手段は、前記コネクタの収納部に前記分割ユニットの装着方向に対向する向きで突設された突部と、この突部に嵌合可能に隣接する分割ユニットの境界面に設けられた凹部と、の組み合わせで構成されることを特徴とする。
【０００９】
請求項４に記載の発明は、請求項３に記載の発明において、前記突部は柱状の導電性のピンであり、前記凹部には前記導電性のピンに電気的に接触する導電部が設けられていることを特徴とする。
【００１０】
請求項５に記載の発明は、請求項３に記載の発明において、前記突部は導電性のバンプであり、前記凹部には前記導電性のピンに電気的に接続する導電部が設けられていることを特徴とする。
【００１１】
請求項６に記載の発明は、請求項２に記載の発明において、前記位置決め手段は、前記コネクタへの収納時において互いに隣接する分割ユニットの対向面のそれぞれに設けられ互いに嵌合する一対の凹凸部で構成されることを特徴とする。
【００１２】
請求項７に記載の発明は、請求項６に記載の発明において、前記一対の凹凸部には互いに電気的に接触する導電部が設けられていることを特徴とする。
【００１３】
請求項８に記載の発明は、請求項１に記載の発明において、前記コネクタには前記各分割ユニットに電気的に接触して外部に導出された導電性の接続端子が設けられており、この接続端子同士を電気的に接続することにより、前記各分割ユニット相互が電気的に接続されていることを特徴とする。
【００１４】
請求項９に記載の発明は、請求項１〜８のいずれか一項に記載の発明において、前記機能部の光電変換素子には光導波路が光学的に接続されていることを特徴とする。
【発明の効果】
【００１５】
本発明のよれば、光電変換素子及びその付帯素子を含む機能部を構成する個々の機能又は個々の機能の組み合わせで分割された分割ユニットが、外部との電気的な接続を行うコネクタに着脱可能に収容される構成であるため、光電変換素子又はその付帯素子などの一部の電子部材の交換を行う際に、当該素子を含む分割ユニットの交換だけ行えば良く、より経済的に電子部材の交換を行うことができる。
【発明を実施するための最良の形態】
【００１６】
以下、図１〜図１０を参照して本発明の実施の形態について詳細に説明するが、この発明はこの実施の形態に限定されない。また、この発明の実施形態は発明の最も好ましい形態を示すものであり、発明の用語や用途などをこれに限定しない。
【００１７】
図１（ａ）は、本発明である電気光変換モジュール１の光導波路２を介した接続を例示する概念図であり、図１（ｂ）は、電気光変換モジュール１がコネクタ１００に複数の分割ユニットが嵌め込まれた状態を例示する概念図である。図２は、嵌合部１２０への光信号送信・受信部２０１、増幅部２０２及び通信制御部２０３の嵌め込みを例示する概念図である。図３は、カバー部材１１１を持ち上げた状態のコネクタ１００の外観斜視図である。図４は、カバー部材１１１を持ち上げた状態のコネクタ１００の上面外観図である。図５は、複数の分割ユニット同士の接続状態を例示する概念図であり、（ａ）は、上面図、（ｂ）は、側面図、（ｃ）は、底面図である。図６は、光信号送信・受信部２０１と増幅部２０２との接続を例示する概念図である。図７は、嵌合部１２０において光信号送信・受信部２０１が嵌合した状態の断面を模式的に示す図である。
【００１８】
電気光変換モジュール１は、図１（ａ）に示すように、光導波路２を介して光信号を他の電気光変換モジュール１に伝送するとともに、外部に露出する電極部１０１を介して外部機器と電気的に接続する構成である。光導波路２は、双方向またはパラレル（複数の単方向）で光伝送を行う場合は２つのコアが、また単方向の光伝送を行う場合は一つのコアがクラッドにより被覆されることによってフィルム状に形成され、可撓性を有する。
【００１９】
また、電気光変換モジュール１は、図１（ｂ）に示すように、光信号送信・受信部２０１、増幅部２０２及び通信制御部２０３などの複数の分割ユニットをコネクタ１００のコネクタ本体１１０に嵌め込んで係止させ、その複数の分割ユニットを嵌め込んだ上部をカバー部材１１１で覆う構成である。
【００２０】
光信号送信・受信部２０１は、光導波路２と接続するフォトダイオード等の受光素子又はレーザダイオード等の発光素子などを有し、光導波路２を伝播する光信号に基づいた電気信号の増幅部２０２への出力や、増幅部２０２などから入力される電気信号に応じた光信号の光導波路２へ出力を行う。増幅部２０２は、トランジスタなどの電気信号を増幅する構成を有し、光信号送信・受信部２０１からの入力又は光信号送信・受信部２０１へ出力する電気信号の増幅を行う。通信制御部２０３は、制御ＩＣ（Integrated Circuit）などを有し、光信号送信・受信部２０１及び増幅部２０２において、光導波路２から伝送される光信号を変換した電気信号の出力や、電極部１０１を介して外部から入力される電気信号に応じた光信号の光導波路２への出力を制御する。
【００２１】
複数の分割ユニットである光信号送信・受信部２０１、増幅部２０２及び通信制御部２０３は、上述した個々の機能又は個々の機能の組み合わせで分割されているが、そのレイアウトは自由である。例えば、増幅部２０２と通信制御部２０３の機能を有する一つのユニットであってもよい。
【００２２】
この光信号送信・受信部２０１、増幅部２０２及び通信制御部２０３などの複数の分割ユニットをコネクタ本体１１０へ嵌め込んでの係止は、図２、３に示すように、コネクタ本体１１０に設けられた嵌合部１２０の底面方向へ当該分割ユニットを押し込んで壁面へ接触させることで行う。嵌合部１２０は、複数の分割ユニットを嵌め込んだ際に、当該分割ユニットが外部に露出する電極端子と接触するソケットコンタクト部１２１を嵌合部１２０の長手方向（光信号送信・受信部２０１を接続した際の光導波路２の延在方向）の両壁面に有する。また、長手方向と直交する嵌合部１２０の短手方向のうち、光信号送信・受信部２０１が嵌合する側には、延在する光導波路２を外部へ取り回すための開口部１２２が設けられている。
【００２３】
また、嵌合部１２０は、図２〜図４に示すように、複数の分割ユニットをソケットコンタクト部１２１に接触させて嵌め込む場合の各分割ユニットの接続する底面位置において、その分割ユニットの装着方向と対向する向きに突設されたピンＰ１〜Ｐ４を有し、長手方向における当該複数の分割ユニットを嵌め込む位置を規制する。このピンＰ１〜Ｐ４は、略円筒形状の導電性を有する金属部材などであり、後述する各分割ユニットと接触する凹部間における電気的な接続を行う構成である。なお、ピンＰ１〜Ｐ４の形状は、板状や多角柱状であってもよく、上述した略円筒形状に限らない。
【００２４】
コネクタ本体１１０には、図２〜４に示すように、軸部１１２で回動可能なカバー部材１１１が設けられている。カバー部材１１１は、嵌合部１２０に光信号送信・受信部２０１、増幅部２０２及び通信制御部２０３を嵌め込んだ際に、軸部１１２を軸に嵌合部１２０側に回動してそれらの分割ユニットを嵌合部１２０の底面方向に押し付けて固定する押付部１１３を有する。なお、コネクタ本体１１０とカバー部材１１１には、上述した分割ユニットを嵌合部１２０の底面方向に押し付けた状態でカバー部材１１１の回動を固定するための爪部１１４ａ、爪受け部１１４ｂが設けられている。
【００２５】
嵌合部１２０へ嵌め込む光信号送信・受信部２０１、増幅部２０２及び通信制御部２０３は、図５に示すように、特に図示しない内部において、光信号の送受信や電気信号への変換やその制御等を行う基板を有し、上部を上部ケース２１１、２２１、２３１下部を下部ケース２１２、２２２、２３２でケーシングされて成る。
【００２６】
下部ケース２１２、２２２、２２３の側面２０５側には、内部に設けられた基板と電気的に接続し、嵌合部１２０と嵌合する際にソケットコンタクト部１２１と接触する接続端子２１３、２２３、２３３が設けられている。光信号送信・受信部２０１、増幅部２０２、通信制御部２０３の接続部分には、嵌合部１２０と嵌合する際のピンを受けるためのピン受け穴２０４が形成される。
【００２７】
このピン受け穴２０４は、例えば光信号送信・受信部２０１と増幅部２０２との接続部分については、図６に示すように、光信号送信・受信部２０１と増幅部２０２とが接続する接続面２１５、２２５にピンの半径程度で略半円筒形状に形成された凹部２１６、２２６で形成される。なお、ピン受け穴２０４を形成する凹部２１６、２２６などは、内部に設けられた基板と電気的に接続する金属部材であり、弾性変形してピンＰ１、Ｐ２と接触する。このため、光信号送信・受信部２０１と増幅部２０２との電気的な接続は、凹部２１６、２２６によりピンＰ１、Ｐ２を介して行う構成である。なお、他の分割ユニット間の接続に関しても同様である。
【００２８】
嵌合部１２０に光信号送信・受信部２０１、増幅部２０２及び増幅部２０２を嵌め込んだ際に接するソケットコンタクト部１２１は、一枚の導電性を有する長尺板状の弾性部材である金属部材などであり、図７に示すように、コネクタ本体１１０の内部で屈曲されて、コネクタ１００の底面の脇からその底面と略並行に延出して外部に電極部１０１として露出する。
【００２９】
例えば、嵌合部１２０に光信号送信・受信部２０１を嵌め込んだ際には、図７に示すように、ソケットコンタクト部１２１が弾性変形した状態で接続端子２１３と接触する。このため、ソケットコンタクト部１２１は、嵌合部１２０の長手方向両面側から光信号送信・受信部２０１に対して付勢した状態で接続端子２１３と接触し、光信号送信・受信部２０１を嵌合部１２０の内部で係止するとともに、ソケットコンタクト部１２１と接続端子２１３とを確実に接触させて、光信号送信・受信部２０１との電気的な接続を電極部１０１を介して行うことができる。
【００３０】
以上のように、電気光変換モジュール１は、光導波路２を伝播する光信号の電気信号への変換や、入力される電気信号を光信号へ変換して光導波路２へ出力する光信号送信・受信部２０１、増幅部２０２及び通信制御部２０３などの複数の分割ユニットを、コネクタ本体１１０の嵌合部１２０において、当該複数の分割ユニットの電極部が外部へ露出する電極部１０１に接続するソケットコンタクト部１２１と接触した状態で嵌め込んで係止する構成である。
【００３１】
このため、電気光変換モジュール１は、一部の電子部材の交換のためいずれかの分割ユニットの交換が必要な場合に、その対象となる分割ユニットのみを交換することができるため、経済的に分割ユニット（電子部材）の交換を行うことができる。
【００３２】
また、電気光変換モジュール１は、嵌合部１２０において、光信号送信・受信部２０１、増幅部２０２又は通信制御部２０３などの分割ユニットを嵌め込む際の各分割ユニットの接続位置を規制するピンＰ１〜Ｐ４を備え、各分割ユニットはピンＰ１〜Ｐ４を受ける凹部を備える構成である。このため、嵌合部１２０に嵌め込む複数の分割ユニットの位置決めを正確に行うことができる。
【００３３】
また、電気光変換モジュール１は、導電性を有するピンＰ１〜Ｐ４と内部の基板と電気的に接続する端子である凹部とを接触させることで、隣接する分割ユニット間の電気な接続を行うことができる。
【００３４】
［変形例１］
次に、上述した電気光変換モジュール１の変形例としての電気光変換モジュール１ａについて、図８を参照して説明する。図８（ａ）は、変形例１の電気光変換モジュール１ａにおける分割ユニットの嵌め込みを例示する概念図であり、図８（ｂ）は、嵌合部１２０ａに設けられた導電性バンプＨを例示する概念図であり、図８（ｃ）は、光信号送信・受信部２０１ａと増幅部２０２ａの接続部分の底面を拡大した概念図である。なお、上述した電気光変換モジュール１と同一の構成については同一の符号を付して説明を省略する。
【００３５】
図８（ａ）に示すように、電気光変換モジュール１ａは、光信号送信・受信部２０１ａ、増幅部２０２ａ及び通信制御部２０３ａを嵌め込んで係止する嵌合部１２０ａをコネクタ本体１１０ａに備える。この嵌合部１２０ａは、図８（ａ）及び図８（ｂ）に示すように、複数の分割ユニットをソケットコンタクト部１２１に接触させて嵌め込む場合の各分割ユニット接続する底面位置において、その分割ユニットの装着方向と対向する向きに突設された導電性バンプＨを備える。この導電性バンプＨは、例えば半田バンプである。
【００３６】
光信号送信・受信部２０１ａ、増幅部２０２ａ及び通信制御部２０３ａには、嵌合部１２０ａに嵌め込んで係止する際の各分割ユニット同士が接触する部分であり、導電性バンプＨと接触する底面位置（図８（ａ）の一点鎖線参照）に導電性バンプＨと接続するための凹部（底面接続部）を備える。
【００３７】
具体的には、図８（ｃ）に示すように、光信号送信・受信部２０１ａと増幅部２０２ａの下部ケース２１２ａ、２２２ａには、当該分割ユニットが嵌合部１２０ａに嵌め込んで接触する位置近傍であり、導電性バンプＨと接続する底面位置に、内部に設けられた基板と電気的に接続する底面接続部２１７、２２７が設けられている。嵌合部１２０に嵌め込んだ際の光信号送信・受信部２０１ａと増幅部２０２ａとの間の電気的な接続は、底面接続部２１７、２２７と導電性バンプＨとを介して行う。なお、他の分割ユニット間の接続に関しても同様である。
【００３８】
以上のように、電気光変換モジュール１ａは、嵌合部１２０ａの底面に導電性バンプＨを備え、光信号送信・受信部２０１ａ、増幅部２０２ａ又は通信制御部２０３ａなどの分割ユニットを嵌め込んで係止する際に、当該導電性バンプＨで固定する構成である。このため、電気光変換モジュール１ａでは、上記各分割ユニットの係止を確実に行うことができる。
【００３９】
また、各分割ユニットにおいて、導電性バンプＨと接続する接続部は内部の基板と電気的に接続する構成であるため、接触する各分割ユニット間の電気的な接続を導電性バンプＨを介して行うことができる。
【００４０】
［変形例２］
次に、上述した電気光変換モジュール１の変形例としての電気光変換モジュール１ｂについて、図９を参照して説明する。図９は、変形例２の電気光変換モジュール１ｂにおける分割ユニットの嵌め込みを例示する概念図である。なお、上述した電気光変換モジュール１と同一の構成については同一の符号を付して説明を省略する。
【００４１】
図９に示すように、電気光変換モジュール１ｂは、光信号送信・受信部２０１ｂ、増幅部２０２ｂ及び通信制御部２０３ｂを嵌め込んで係止する嵌合部１２０ｂをコネクタ本体１１０ｂに備える。この嵌合部１２０ｂは、前述したピンや導電性バンプを用いて各分割ユニットを係止してもよいし、単にソケットコンタクト部１２１での接触で係止する構成であっても良く、とくに限定しない。
【００４２】
電極部１０１ａは、前述した電極部１０１と同様に、コネクタ本体１１０ｂの内部で屈曲して嵌合部１２０ｂにおけるソケットコンタクト部１２１となる一枚の導電性を有する長尺板状の弾性部材である金属部材などであって、電気光変換モジュール１の外部に露出しており、電極部１０１ａの一部を導電性の電極間接続部１０１ｂで接続する構成である。
【００４３】
このため、電気光変換モジュール１ｂは、ソケットコンタクト部１２１における端子間の電気的な接続を外部に露出した電極部１０１ａの電極間接続部１０１ｂを介して行うことができる。つまり、嵌合部１２０ｂに嵌め込んで係止する光信号送信・受信部２０１ａ、増幅部２０２ｂ又は通信制御部２０３ｂの電気的な接続を各分割ユニットをコネクタ本体１１０ｂに嵌め込んだまま電極間接続部１０１ｂを介して容易に行うことができる。
【００４４】
［変形例３］
次に、上述した電気光変換モジュール１の変形例としての電気光変換モジュール１ｃについて、図１０を参照して説明する。図１０（ａ）は、変形例３の電気光変換モジュール１ｃにおける分割ユニットの嵌め込みを例示する概念図であり、図１０（ｂ）は、光信号送信・受信部２０１ｃ、増幅部２０２ｃ及び通信制御部２０３ｃの上面図であり、図１０（ｃ）は、光信号送信・受信部２０１ｃ及び増幅部２０２ｃの接続部分を例示する拡大斜視図である。なお、上述した電気光変換モジュール１と同一の構成については同一の符号を付して説明を省略する。
【００４５】
図１０（ａ）に示すように、電気光変換モジュール１ｃは、光信号送信・受信部２０１ｃ、増幅部２０２ｃ及び通信制御部２０３ｃを嵌め込んで係止する嵌合部１２０ｃをコネクタ本体１１０ｃに備える。この嵌合部１２０ｃは、単にソケットコンタクト部１２１での接触で係止する構成である。
【００４６】
光信号送信・受信部２０１ｃ、増幅部２０２ｃ及び通信制御部２０３ｃには、嵌合部１２０ｃへ嵌め込む際に分割ユニット同士が接触する面に、互いに嵌合して係止する凹部及び／又は凸部であり、内部に設けられた基板と電気的に接続する部材接続部２１８、２２８、２３８を備える構成である。
【００４７】
具体的には、図１０（ｃ）に示すように、光信号送信・受信部２０１ｃと増幅部２０２ｃとが接触する面において、光信号送信・受信部２０１ｃには凸形状の部材接続部２１８が設けられ、増幅部２０２ｃには凹形状の部材接続部２２８が設けられており、嵌合部１２０ｃへ嵌合する際に、当該部材接続部２１８、２２８が嵌め合って連結する。なお、他の分割ユニット間の接続に関しても同様である。
【００４８】
このため、電気光変換モジュール１ｃは、光信号送信・受信部２０１ｃ、増幅部２０２ｃ及び通信制御部２０３ｃを嵌合部１２０ｃへ嵌め込んで係止する際に、分割ユニット間の連結を確実に行うことができるとともに、隣接する各分割ユニット間の電気的な接続を行うことができる。
【００４９】
なお、本実施の形態における記述は、本発明の一例を示すものであり、これに限定しない。本発明における電気光変換モジュール１、１ａ、１ｂ、１ｃの細部構成に関しては、本発明の趣旨を逸脱しない範囲で適宜変更が可能である。
【図面の簡単な説明】
【００５０】
【図１】（ａ）は、本発明である電気光変換モジュール１の光導波路２を介した接続を例示する概念図であり、（ｂ）は、電気光変換モジュール１のコネクタ１００に複数の分割ユニットが嵌め込まれた状態を例示する概念図である。
【図２】嵌合部１２０への光信号送信・受信部２０１、増幅部２０２及び通信制御部２０３の嵌め込みを例示する概念図である。
【図３】カバー部材１１１を持ち上げた状態のコネクタ１００の外観斜視図である。
【図４】カバー部材１１１を持ち上げた状態のコネクタ１００の上面外観図である。
【図５】複数の分割ユニット同士の接続状態を例示する概念図であり、（ａ）は、上面図、（ｂ）は、側面図、（ｃ）は、底面図である。
【図６】光信号送信・受信部２０１と増幅部２０２との接続を例示する概念図である。
【図７】嵌合部１２０において光信号送信・受信部２０１が嵌合した状態の断面を模式的に示す図である。
【図８】（ａ）は、変形例１の電気光変換モジュール１ａにおける分割ユニットの嵌め込みを例示する概念図であり、（ｂ）は、嵌合部１２０ａに設けられた導電性バンプＨを例示する概念図であり、（ｃ）は、光信号送信・受信部２０１ａと増幅部２０２ａの接続部分の底面を拡大した概念図である。
【図９】変形例２の電気光変換モジュール１ｂにおける分割ユニットの嵌め込みを例示する概念図である。
【図１０】（ａ）は、変形例３の電気光変換モジュール１ｃにおける分割ユニットの嵌め込みを例示する概念図であり、（ｂ）は、光信号送信・受信部２０１ｃ、増幅部２０２ｃ及び通信制御部２０３ｃの上面図であり、（ｃ）は、光信号送信・受信部２０１ｃ及び通信制御部２０３ｃの接続部分を例示する拡大斜視図である。
【符号の説明】
【００５１】
１、１ａ、１ｂ、１ｃ  電気光変換モジュール
２  光導波路
１００  コネクタ
１０１  電極部
１０１ａ  電極部
１０１ｂ  電極間接続部
１１０、１１０ａ、１１０ｂ、１１０ｃ  コネクタ本体
１１１  カバー部材
１１２  軸部
１１３  押付部
１１４ａ  爪部
１１４ｂ  爪受け部
１２０、１２０ａ、１２０ｂ、１２０ｃ  嵌合部
１２１  ソケットコンタクト部
１２２  開口部
２０１、２０１ａ、２０１ｂ、２０１ｃ  光信号送信・受信部
２０２、２０２ａ、２０２ｂ、２０２ｃ  増幅部
２０３、２０３ａ、２０３ｂ、２０３ｃ  通信制御部
２０４  ピン受け穴
２０５  側面
２１１、２１１ａ、２１１ｂ、２１１ｃ  上部ケース
２１２、２１２ａ、２１２ｂ、２１２ｃ  下部ケース
２１３  接続端子
２１５  接続面
２１６  凹部
２１７  底面接続部
２１８  部材接続部
２２１、２２１ａ、２２１ｂ、２２１ｃ  上部ケース
２２２、２２２ａ、２２２ｂ、２２２ｃ  下部ケース
２２３  接続端子
２２５  接続面
２２６  凹部
２２７  底面接続部
２２８  部材接続部
２３１、２３１ａ、２３１ｂ、２３１ｃ  上部ケース
２３２、２３２ａ、２３２ｂ、２３２ｃ  下部ケース
２３３  接続端子
２３８  部材接続部
Ｐ１〜Ｐ４  ピン
Ｈ  導電性バンプ 
【図１】
2007286553.tif 000003
【図２】
2007286553.tif 000004
【図３】
2007286553.tif 000005
【図４】
2007286553.tif 000006
【図５】
2007286553.tif 000007
【図６】
2007286553.tif 000008
【図７】
2007286553.tif 000009
【図８】
2007286553.tif 000010
【図９】
2007286553.tif 000011
【図１０】
2007286553.tif 000012